(57)【要約】【課題】  長時間着用していても蒸れにくい救命胴衣を提供すること。【解決手段】  この発明の救命胴衣は、左右の前身ごろ１，２を有し、両前身ごろ１，２間の中央上部３が使用者の首の後側下部付近に位置するようにした救命胴衣であって、両前身ごろ１，２の使用者の胸部に接触する部分から上方、及び中央上部３の裏面を、内側縁から外側縁に至る通気性材４で構成したものとしている。通気性材４は、クッション性を有する厚みのあるメッシュ材とすることができる。また、裏側の適宜箇所に通気性のある滑り止め材１５を設けたものとすることができる。【選択図】  図２
2006193105.tif 000002
【特許請求の範囲】
【請求項１】
左右の前身ごろ（１）（２）を有し、両前身ごろ（１）（２）間の中央上部（３）が使用者の首の後側下部付近に位置するようにした救命胴衣であって、両前身ごろ（１）（２）の使用者の胸部に接触する部分から上方、及び中央上部（３）の裏面を、略内側縁から略外側縁に至る通気性材（４）で構成していることを特徴とする救命胴衣。
【請求項２】
通気性材（４）がクッション性を有する厚みのあるメッシュ材である請求項１記載の救命胴衣。
【請求項３】
裏側の適宜箇所に通気性のある滑り止め材（１５）を設けている請求項１又は２記載の救命胴衣。
【請求項４】
滑り止め材（１５）が通気性材（４）上に設けられている請求項３記載の救命胴衣。
【請求項５】
水難時に自動的に膨脹するようにした自動膨脹式ベストとして構成されている請求項１、２、３又は４記載の救命胴衣。
【発明の詳細な説明】
【技術分野】
【０００１】
この発明は、海、川、湖での釣り、ヨット等のレジャーや、海洋工事等の作業時において着用し、水難時に使用者の身体を浮かせられるようにするための救命胴衣に関するものである。
【背景技術】
【０００２】
従来、海、川、湖での釣り、ヨット等のレジャーや、海洋工事等の作業時において着用する救命胴衣として、例えば特許文献１に記載のようなものがある。この従来の救命胴衣は、使用者が常時着用するようにしているが、時間が経つと汗をかき、蒸れて着心地が悪くなることが多かった。
【０００３】
また、この種の救命胴衣は、使用者の首から前側に左右の前身ごろが垂れ下がるようにして着用されるため、使用者の首の後側下部や肩口付近が蒸れやすく、特に、水難時にガスボンベから内部の膨脹体にガスが充填されることにより膨脹体が膨脹するようにしたものは、ガスボンベの重みで身体に密着し、非常に蒸れやすくなっていた。
【特許文献１】特許第３５０８９３１号公報
【発明の開示】
【発明が解決しようとする課題】
【０００４】
そこで、この発明は、長時間着用していても蒸れにくい救命胴衣を提供することを課題とする。
【課題を解決するための手段】
【０００５】
この発明の救命胴衣は、左右の前身ごろ１，２を有し、両前身ごろ１，２間の中央上部３が使用者の首の後側下部付近に位置するようにした救命胴衣であって、両前身ごろ１，２の使用者の胸部に接触する部分から上方、及び中央上部３の裏面を、略内側縁から略外側縁に至る通気性材４で構成したものとしている。
【０００６】
通気性材４は、クッション性を有する厚みのあるメッシュ材とすることができる。
【０００７】
また、裏側の適宜箇所に通気性のある滑り止め材１５を設けたものとすることができる。滑り止め材１５は通気性材４上に設けられたものとすることができる。
【０００８】
さらに、水難時に自動的に膨脹するようにした自動膨脹式ベストとして構成されたものとすることができる。
【発明の効果】
【０００９】
この発明の救命胴衣は、上述のような構成を有しており、通気性材４により、長時間着用していても蒸れにくいものとなっている。通気性材４をクッション性を有する厚みのあるメッシュ材とすることにより、さらに着心地をよくすることができ、また、裏側の適宜箇所に通気性のある滑り止め材１５を設けたり、水難時に自動的に膨脹するようにした自動膨脹式ベストとして構成することもできる。
【発明を実施するための最良の形態】
【００１０】
この発明の救命胴衣は、左右の前身ごろ１，２を有し、両前身ごろ１，２間の中央上部３が使用者の首の後側下部付近に位置するようにした救命胴衣であって、両前身ごろ１，２の使用者の胸部に接触する部分から上方、及び中央上部３の裏面を、略内側縁から略外側縁に至る通気性材４で構成したものである。
【００１１】
以下、この発明の好適な実施形態を、図面を参照して説明する。
【００１２】
図１はこの発明の実施形態の救命胴衣の正面図、図２は同背面図、図３は展開状態の救命胴衣本体１の正面図、図４は同背面図、図５は折り畳んだ状態の救命胴衣本体１の正面図、図６はカバー５の開いた状態の正面図である。
【００１３】
この救命胴衣は、救命胴衣本体１とカバー５からなり、図１、図２に示したように、救命胴衣本体１をカバー５に収容した状態で使用者の首から掛けて着用されるようにしている。救命胴衣本体１は、図３、図４に示したように、左右の前身ごろが中央上部を介して連結された略逆Ｕ字状で、平常時には、図５に示したように折り畳まれた状態で使用される。
【００１４】
救命胴衣本体１は、ナイロン等の合成繊維や天然繊維にウレタン等の合成樹脂をコーティング又はラミネートして形成された表材と裏材が、それらの周縁部の内側を巡るように接着されている。接着部分は、左右の前身ごろと中央上部にわたっており、その内側が気密状態が保たれるようにした膨脹体６で、外側が縁部７となっている。
【００１５】
図６に示したように、カバー５は救命胴衣本体１と同様な略逆Ｕ字状で、適宜の合成繊維や天然繊維の生地、あるいは合成樹脂製のシートの表側材８と裏側材９からなる。表側材８と裏側材９は互いの内側縁が縫着され、外側縁には対の面ファスナー１０，１１が設けられており、面ファスナー１０，１１の着脱によりカバー５の外側縁が開閉可能となっている。
【００１６】
カバー５には、左右の下端部と、中央上部３の下端部に、それぞれ一対の帯状の面ファスナー１２，１３が設けられており、その一方の面ファスナー１２を、救命胴衣本体１の前記面ファスナー１２を設けた位置に対応して設けた切れ目１４に通し、他方の面ファスナー１３に係合させることにより、救命胴衣本体１がカバー５から離脱することを防止するようにしている。
【００１７】
カバー５は、両前身ごろ１，２の使用者の胸部に接触する部分から上方、及び中央上部３の裏面の略内側縁から略外側縁に至る部分を、通気性材４で構成している。この実施形態では、通気性材４は略逆Ｕ字状で、中央上部３と、左右の前身ごろ１，２の裏面の上半分程度の裏側全域に設けられたものとしている。通気性材４が設けられる部分は、裏側材９を通気性のあるメッシュ状の生地とし、その上層側（使用者の身体に接触する側）に通気性材４を設けた２層の構成とすることができるが、これに限定されず、裏側材９自体を通気性材４として１層のみの構成にしてもよい。
【００１８】
通気性材４は、例えばダブルラッセル編みされたもののような立体構造の、クッション性を有する厚みのあるメッシュ材とすることが望ましい。立体構造の生地は水分をよく吸収するとともに弾力性があり、快適な着心地が得られる。立体構造の生地は、ダブルラッセル編みによりハニカム構造に形成されたものとすることができる。
【００１９】
なお、カバー５のない救命胴衣として構成する場合は、救命胴衣本体１の両前身ごろの使用者の胸部に接触する部分から上方、及び中央上部３の裏面に、略内側縁から略外側縁に至る通気性材４を設ける。
【００２０】
カバー５の裏側の使用者の肩口付近に接触する箇所には滑り止め材１５を設け、救命胴衣本体１が着用時に使用者の身体からずれないようにしている。この滑り止め材１５は通気性を有しており、前記通気性材４上に重ねて設けても、前記通気性材４の通気性を大きく妨げることがない。滑り止め材１５は、ナイロンやポリエステル等のメッシュ状の生地をシリコン処理やポリウレタン処理したものとすることができる。滑り止め材１５を設ける箇所は適宜でよい。
【００２１】
この救命胴衣は、ガスボンベ１６から噴出されたガスが膨脹体６に充填され、膨脹体６が膨脹するようになっている。ガスボンベ１６は炭酸ガス等を充填したもので、救命胴衣本体１の中央上部３の裏側に設けられたガス噴出装置１７に取付けられており、覆い生地１８が被さるようにしている。
【００２２】
ガス噴出装置１７は、ガス噴出口（図示せず）と水浸入口１９を有しており、水難時に水浸入口１９に水が入ると、内部の水感知機構が反応し、自動的にガスボンベ１６の封板が開いてガス噴出口から膨脹体６にガスが吹き込まれるようになっている。また、ガスボンベ１６の封板は、ガス噴出装置１７の作動レバーに接続された紐２０を引っ張ることにより、水感知機構が正常に反応しなかった場合等、必要時に使用者が手動で開くこともできる。
【００２３】
この救命胴衣は、常に救命胴衣本体１にカバー５を付けた状態であっても水難時において膨脹体６が膨脹するとカバー５の面ファスナー１０，１１の係合がはずれるので、カバー５によって膨脹体６の膨脹に支障をきたすことはない。
【００２４】
救命胴衣本体１には、左側の前身ごろの内側縁部にホイッスル２１が備えられ、右側の前身ごろに膨脹体６の膨脹が足りない場合に膨脹体６に空気を吹き込むためのパイプ２２が設けられている。さらに、左右の前身ごろには、夜間等に目立たせるための光反射材２３が設けられている。
【００２５】
救命胴衣本体１は、中央上端に取付けられ使用者の背中の上部に位置する略Ｙ字状の上部ベルト２４と、左右の前身ごろの下端に連結紐２５を介して取付けられ、上部ベルト２４の下端のリング状部２６に通された環状の下部ベルト２７を有している。上部ベルト２４と下部ベルト２７はともに救命胴衣の裏側に配されるようにしている。
【００２６】
下部ベルト２７は、左側の紐２７ａ、右側の紐２７ｂ、及び連結具２８により分離可能な中央の紐２７ｃが、２つの長さ調節具２９を介して連結されて構成されている。連結具２８は救命胴衣本体１の左右の前身ごろの下端間に設けられており、これによって下部ベルト２７の連結、切り離しが可能となっている。連結具２８は、係止受け具２８ａと係止突具２８ｂからなり、係止突具２８ｂの弾性係止部２８ｃを係止受け具２８ａ内に押し込むと、弾性係止部２８ｃが弾性復帰して連結状態になるようにしている。連結状態は、使用者が弾性係止部２８ｃを外側から指で押すことにより解除することができる。
【００２７】
長さ調節具２９は、救命胴衣本体１の左右の前身ごろの下端付近に位置するように設けられており、使用者の身体サイズに合わせて下部ベルト２７の長さを調節することができる。長さ調節具２９は内側に２本の桟を設けた枠形状で、桟に下部ベルト２７を構成する紐２７ａ，２７ｂ，２７ｃを掛けるようにしており、紐２７ａ，２７ｂ，２７ｃを引っ張っても下部ベルト２７が緩まないようにしている。長さ調節具２９に通した下部ベルト２７の紐２７ａ，２７ｂの端部は、折り返され輪状の止め具３０によって保持されるようにしている。
【００２８】
使用者は、連結具２８の連結状態を解除した状態で、首から救命胴衣を掛け、左右の前身ごろ１，２が身体の前側に、上部ベルト２４と下部ベルト２７が背後に位置するようにし、そして連結具２８を連結状態にして装着する。また、必要に応じて長さ調節具２９により下部ベルト２７の長さを調節する。
【００２９】
救命胴衣本体１は、折り畳む際、左右の各前身ごろが、図３において点線で示した左右それぞれ縦方向の２つのラインＬで折り曲げられ、また、中央上部が横方向のラインで折り曲げられる。
【００３０】
左右の各前身ごろの折り畳みの際に折り目となるラインＬの両端付近には、折り曲げ箇所であることを示す印３１が設けられている。この実施形態では、折り曲げ箇所であることを示す印３１は、膨脹体６の外側の縁部７に形成された切れ込みであり、この切れ込みによって、折り曲げが容易になっている。切れ込みは、図示したようなテーパー状、線状、その他適宜形状とすることができる。
【００３１】
なお、折り曲げ箇所であることを示す印３１は、図７に示したような穴や、印刷されたもの、縫い目等であってもよい。また、中央上部の折り畳みの際に折り目となるラインの両端付近にも折り曲げ箇所であることを示す印３１を設けてもよい。
【００３２】
前記ラインＬは、救命胴衣本体１に形成された折り目として使用者が目視できるようになったものでもよいが、目視できなくてもよい。また、救命胴衣本体１には、折り畳んだときに互いに対向する面に面ファスナー等の係合手段を設け、折り畳んだ状態が保持されるようにしてもよい。
【００３３】
この救命胴衣は、中央上部３にガスボンベ１６が配置されているため、ガスボンベ１６の重みで中央上部３や両前身ごろ１，２の使用者の胸部に接触する部分から上方が使用者の身体に密着しやすくなっているが、通気性材４により長時間着用しても汗をかいたり蒸れたりしにくくなっている。そのため、水難時ではないのに水感知機構が汗で濡れてガスボンベ１６の封板が開いてしまうようなことが防止される。しかも、通気性材４は水をよく通すため、水難時にガス噴出装置１７内部の水感知機構に水が浸入しやすく、素早く反応して膨脹体６を早く安定的に膨脹させることができる。
【００３４】
また、この救命胴衣は、略逆Ｕ字状に限定されず、より大きな面積で使用者の身体を覆い、前身ごろ１，２に複数のポケットを設ける等して便利に使用できるようにした自動膨脹式ベストとして構成することができる。
【００３５】
さらに、本発明は上記実施形態に限定されず、形状、素材等、適宜構成を変更して実施することが可能である。
【図面の簡単な説明】
【００３６】
【図１】この発明の実施形態の救命胴衣の正面図である。
【図２】この発明の実施形態の救命胴衣の背面図である。
【図３】この発明の実施形態の救命胴衣の、展開状態の救命胴衣本体の正面図である。
【図４】この発明の実施形態の救命胴衣の、展開状態の救命胴衣本体の背面図である。
【図５】この発明の実施形態の救命胴衣の、折り畳んだ状態の救命胴衣本体の正面図である。
【図６】この発明の実施形態の救命胴衣のカバーの、開いた状態の正面図である。
【図７】この発明の他の実施形態の救命胴衣の、展開状態の救命胴衣本体の正面図である。
【符号の説明】
【００３７】
１，２  前身ごろ
３  中央上部
４  通気性材
１５  滑り止め材
【図１】
2006193105.tif 000003
【図２】
2006193105.tif 000004
【図３】
2006193105.tif 000005
【図４】
2006193105.tif 000006
【図５】
2006193105.tif 000007
【図６】
2006193105.tif 000008
【図７】
2006193105.tif 000009